(57)【要約】【課題】製造現場等において発生する静電気を除去することができる静電気除去ベルトを提供すること。【解決手段】  人体に装着する人体装着部１１と、靴に装着する靴装着部１２と、これらを連結する連結部１３とを備え、人体装着部１１には人体に接触させる接触用電極１４を配設し、靴装着部１２には靴の裏面側に接地用電極１６を配設し、連結部１３には、接触用電極１４と接地用電極１６とを連結する連結配線１５ａ〜１５ｃを配設したことを特徴とする静電気除去ベルト１０である。そして、静電気除去ベルト１０は、靴に装着するだけで簡単に人体に蓄積した静電気の電荷を除去することができるものである。【選択図】図１
2014143019.tif 000002
【特許請求の範囲】
【請求項１】
人体に装着する人体装着部と、
靴に装着する靴装着部と、
これらを連結する連結部とを備え、
人体装着部には人体に接触させる接触用電極を配設し、
靴装着部には地面に接地させる接地用電極を配設し、
連結部には、接触用電極と接地用電極とを連結する連結配線を配設したことを特徴とする静電気除去ベルト。
【請求項２】
上記人体装着部、靴装着部及び連結部は、その一部をベルト材で構成したことを特徴とする請求項１に記載の静電気除去ベルト。
【請求項３】
上記靴装着部は、靴に装着可能に付勢する弾性部材を備えたことを特徴とする請求項１又は請求項２に記載の静電気除去ベルト。
【請求項４】
上記連結部には、人体の一部に帯電した静電気の電荷を除去する除去用電極を配設したことを特徴とする請求項１〜請求項３のいずれか１項に記載の静電気除去ベルト。
【発明の詳細な説明】
【技術分野】
【０００１】
本発明は、静電気除去ベルト、詳しくは静電気が発生しやすい製造現場等において通常の靴に装着可能とする静電気除去用の装着ベルトに関する。
【背景技術】
【０００２】
静電気は、例えば、手でドアのノブに触った瞬間にビリッとする現象が挙げられる。静電気の発生原因は、完全に解明されていないものの、例えば、４つのケースが考えられる。すなわち、第１は、２つの物質が接触したときに発生する接触帯電であり、第２は、物質同士を摺り合わせたときに発生する摩擦帯電であり、第３は、接触したモノをはがしたときに発生する剥離帯電であり、第４は、物質と物質とが衝突したときに発生する衝突帯電である。
【０００３】
特に、製造現場では摩擦や剥離が頻繁に繰り返されるため、上記第２のケースや第４のケースで発生する静電気が多い。このような静電気が引き起こすトラブルの中で最も恐ろしいのは火災や爆発事故である。この火災の原因となる静電気放電は、特に人体から発生しやすい。すなわち、人体では自由に電荷が動き回っているので、これに放電を起こすきっかけを起こす（例えばドアのノブに手を触れる等）と、それまで帯電した静電気が勢いよく放出されることで火花を発生する現象が生じる。
【０００４】
上記のような静電気による火花が発生すると、例えば、花火製作の現場においては、甚大な被害をもたらすおそれが生じる。そこで、このような被害を防止するために、特許文献１には、製造現場等で足に装着することで静電気を除去できる静電気防止用靴が開示されている。
すなわち、特許文献１には、足の裏に接触する靴底の上面と地面に接触する靴底の底面とを導電材料によるアース材で連結することにより、身体や衣服に蓄電した静電気を地面に放出するようにした静電気防止用靴が開示されている。
【先行技術文献】
【特許文献】
【０００５】
【特許文献１】特開平１１−２６６９０４号公報
【発明の概要】
【発明が解決しようとする課題】
【０００６】
ところが、上記特許文献１に記載の静電気防止用靴では、静電気を地面に流す導電材料が１０８Ωと抵抗値が高いため、十分に静電気を対策するものではなかった。しかも、上記特許文献１に記載の静電気防止用靴では、作業時には靴下を装着している状態がほとんどであり、この靴下が大きな抵抗となって、人体に帯電した静電気を逃がすことが困難であった。
【０００７】
また、靴は消耗品なので、ある程度使用すると劣化するため、新たに靴を購入する必要が生じていた。このため、静電気靴は長く使用できない問題を有していた。また、靴は人によってサイズが異なるので、使用する人に応じた靴を複数準備する必要が生じていた。
【０００８】
この発明は、上記課題を解決するためになされたもので、製造現場等において靴に装着すれば人体に発生する静電気を除去できる静電気除去ベルトを提供することを目的とする。
【課題を解決するための手段】
【０００９】
請求項１に記載の発明は、人体に装着する人体装着部と、靴に装着する靴装着部と、これらを連結する連結部とを備え、人体装着部には人体に接触させる接触用電極を配設し、靴装着部には地面に接地させる接地用電極を配設し、連結部には、接触用電極と接地用電極とを連結する連結配線を配設したことを特徴とする静電気除去ベルトである。
【００１０】
請求項２に記載の発明は、上記人体装着部、靴装着部及び連結部は、その一部をベルト材で構成したことを特徴とする請求項１に記載の静電気除去ベルトである。
【００１１】
請求項３に記載の発明は、上記靴装着部は、靴に装着可能に付勢する弾性部材を備えたことを特徴とする請求項１又は請求項２に記載の静電気除去ベルトである。
【００１２】
請求項４に記載の発明は、上記連結部には、人体の一部に帯電した静電気の電荷を除去する除去用電極を配設したことを特徴とする請求項１〜請求項３のいずれか１項に記載の静電気除去ベルトである。
【発明の効果】
【００１３】
請求項１に記載の発明によれば、通常の靴に装着して製造現場等で作業するだけで人体に蓄積する静電気を常に除去できる構造を有している。すなわち、人体に蓄積した静電気を人体装着部に設けた接触用電極から吸収し、これを連結部に設けた連結配線を通して靴装着部に設けた接地用電極まで流すようにし、接地用電極から地面に放電するように構成している。
【００１４】
また、従来では作業する前に放電ポールや放電パネルに接触して静電気を除去する必要があるが、静電気除去ベルトを装着状態で常に静電気を除去できるようにしているので、上記のような放電ポールに接触する等の手間を省くことができる。
【００１５】
請求項２に記載の発明によれば、靴装着部をベルト材で構成すれば靴に装着しやすくなり、人体装着部をベルト材で構成すれば複雑な形状を有する人体に装着しやすい構造となる。また、ベルト材は移送や保管を簡単な構造を有している。
【００１６】
請求項３に記載の発明によれば、上記靴装着部は、靴に装着可能に付勢する弾性部材を備えているので、種類やサイズが異なる靴に対して装着可能としている効果を有している。これにより、従来の静電気防止用靴のように、人に応じて靴を準備する必要がなく、静電気除去ベルトを共有で使用できる効果を有する。
【００１７】
請求項４に記載の発明によれば、人体装着部の接触用電極に限られず、連結部にも人体からの静電気を吸収する除去用電極を設けることで、例えば、ドアのノブ部分に接触させる前に、手を上記電極に触れることで、手に蓄積した静電気を除去することができ、この後に違和感なくドアのノブ部分に接触することができる効果を有している。
【図面の簡単な説明】
【００１８】
【図１】本実施形態における静電気除去ベルトの装着前の状態を示した説明図である。
【図２】本実施形態における静電気除去ベルトの装着後の状態を示した説明図である。
【図３】平面視した静電気除去ベルトの構造を示した説明図である。
【図４】底面視した静電気除去ベルトの構造を示した説明図である。
【図５】接触用電極若しくは接地用電極とメッシュ配線とを電気的に接続した構造を示した説明図である。
【図６】図４に示すＸ−Ｘ´線の断面構造を示した説明図である。
【発明を実施するための形態】
【００１９】
以下に、本発明の一実施形態について図面を参照しながら説明する。
【００２０】
［全体構造について］
図１は、本実施形態における静電気除去ベルトの装着前の状態を示した説明図である。
図２は、本実施形態における静電気除去ベルトの装着後の状態を示した説明図である。
本実施形態における静電気除去ベルト１０は、図１及び図２に示すように、人体に装着する人体装着部１１と、靴に装着する靴装着部１２と、これらを連結する連結部１３とにより構成している。
【００２１】
人体装着部１１は、人体側に装着可能とするもので、例えば、その一部をベルト材で構成したものである。人体装着部１１は、人体への装着部分が例えば足首部分等にすることが可能であるが、足首部分に限られず太腿部分まで延設させてもよい。
【００２２】
靴装着部１２は、靴を履いた状態で装着するもので、例えば、製造現場等で使用する作業靴等に装着するものである。もちろん、作業靴に限られず一般の靴にも装着することができる。そのような様々な靴に装着できるように、靴装着部１２は、靴上部側に付勢可能とする弾性部材で構成している。また、靴裏面側ではベルト材で構成している。
【００２３】
連結部１３は、上記人体装着部１１と靴装着部１２とを連結するもので、例えば、その一部をベルト材で構成したものである。これにより、静電気除去ベルト１０が一体に形成される。そして、本実施形態における静電気除去ベルト１０は、主としてベルト部材で構成することで様々な形態を有することができ、装着しても通常の作業に影響しないものである。
【００２４】
人体装着部１１には接触用電極１４を配設し、この接触用電極１４を人体に接触させることで発生した静電気を引き寄せるようにしている。また、連結部１３には導電性の第２連結配線１５ｂを配設し、第２連結配線１５ｂを通して上記引き寄せた静電気を靴装着部１２に配設した接地用電極１６に流すようにしている。さらに、靴装着部１２の靴裏面側には接地用電極１６を配設し、この接地用電極１６を通して上記人体側の静電気を地面に放電するようにしている。このようにして、静電気除去ベルト１０は、装着して通常の作業をするだけで常に静電気を除去できるような構造を有したものである。
【００２５】
以下、各部材の構造について説明する。
図３は、平面視した静電気除去ベルトの構造を示した説明図である。
図４は、底面視した静電気除去ベルトの構造を示した説明図である。
【００２６】
［各部材の構造について］
まず、人体装着部１１について説明する。
人体装着部１１は、図３及び図４に示すように、本実施形態では足首部分に巻付けて装着可能とする帯状のベルト材１７ａで装着ベルト１７を構成している。このように、ベルト材１７ａで構成することで複雑な形状を有する人体への装着を容易にしている。
【００２７】
図５は、装着ベルト１７を２枚のベルト材１７ａで構成した構造を示した説明図である。
装着ベルト１７は、図５に示すように、例えば絶縁性を有する素材であるナイロン製のベルト材１７ａで構成している。なお、ベルト材１７ａは、ナイロン製のものに限られず、革製でもよい。
【００２８】
また、装着ベルト１７は、静電気用の第１連結配線１５ａを配設するために上下に２枚構成して縫製されている。図３及び図４中、太い破線は縫製部分を示す。これにより、その内部に配設する第１連結配線１５ａ（後で詳説する）を保護すると共に、絶縁性を保つ構造としている。
【００２９】
装着ベルト１７の一端側には所定幅を有して雄側マジックテープ１８（登録商標）を配設しており、他端側には所定幅を有して雌側マジックテープ１９（登録商標）を配設している。マジックテープ１８，１９（登録商標）を所定幅に設けることで、個人の足の大きさに応じて装着ベルト１７の長さ調節が自由に行える。なお、マジックテープ１８，１９（登録商標）に限れず、留め金によって係合するようにしてもよい。
【００３０】
次に、靴装着部１２について説明する。
靴装着部１２は、図１に示すように、靴上部側に装着する靴上部側装着部２０と靴下部側に装着する靴下部側装着部２１を備えている。
【００３１】
靴上部側装着部２０は、靴の上側で装着可能に付勢する弾性部材を備えている。弾性部材は、弾性材からなる紐材、例えば、ゴム紐２２を使用することができる。本実施形態ではゴム紐２２を靴の形状に合わせて細長く環状に構成したものである。なお、弾性部材としてはゴム紐２２に限られず弾性を有するゴムバンド等を用いてもよい。
【００３２】
上記ゴム紐２２には、靴周りの大きさに応じて位置を変更できるようなストッパ２３を設けている。すなわち、図４に示すように、ストッパ２３はゴム紐２２の断面の大きさよりも小さ目の丸孔２４を２つ穿設した板状部材であり、板状部材の丸孔２４にはゴム紐２２の飛出部分３０を挿通させている。
【００３３】
そして、図２に示すように、ストッパ２３をゴム紐２２の後部側で位置を変更することで、靴周りの大きさを変更できるようにしている。このようにして、ゴム紐２２の弾性により種類やサイズの異なる靴に対しても装着可能としている。この静電気除去ベルト１０を共有にして使用することができ、従来の静電気靴のように、使用者によって異なる大きさのものを準備する必要がない。
【００３４】
靴下部側装着部２１は、図１に示すように、上記ゴム紐２２から靴裏面部まで配設されるもので、靴裏面側で縦方向に配設される縦方向ベルト２５と、前後横方向に配設される第１横方向ベルト２６及び第２横方向ベルト２７で構成されている。
【００３５】
縦方向ベルト２５は、図２に示すように、使用者が装着した状態において、装着ベルト１７の上の所定位置から靴後端側で下方に伸延させるともに、靴の裏面側を通し、靴の先端部分まで伸延させて形成したものである。
【００３６】
縦方向ベルト２５は、２枚のベルト材２５ａ，２５ａ（図６に示す）で構成されている。縦方向ベルト２５の先端部には、所定の空間を持って折り返し部分２８ａが形成され、この折り返し部分２８ａには後述のゴム紐２２の前側を挿通させるための筒状の挿通路３４ａが形成されている。
【００３７】
また、図４に示すように、縦方向ベルト２５上の靴後端部に位置する部分に、ベルト材を凸状に縫い付けることで所定の空間を持って挿通部２９を形成し、この挿通部２９内の所定の空間にゴム紐２２の後部側を挿通させている。
【００３８】
また、図４に示すように、この挿通部２９の凸状部分には長孔３３を穿設している。さらに、ゴム紐２２は、左右から挿通部２９に挿通すると共に長孔３３から後端部を外方に飛び出させている。そして、その飛出部分３０に上記ストッパ２３を配設し、ゴム紐２２の大きさを変更自在に構成している。
【００３９】
第１横方向ベルト２６は、図３に示すように、上記縦方向ベルト２５に靴の裏面側で交差させて靴の前側に配設したものである。また、第１横方向ベルト２６は、図２に示すように、靴に装着状態では靴の左端から靴の裏面側を介して右端まで断面コ字形状に伸延させて形成したものである。
第２横方向ベルト２７は、上記第１横方向ベルト２６と同様の構造を有して靴の後側に配設されている。
【００４０】
第１横方向ベルト２６は、２枚のベルト材２６ａ，２６ａ（図６に示す）で構成されている。第２横方向ベルト２７も同様の構造である。第１横方向ベルト２６及び第２横方向ベルト２７の左右端部には所定の空間を持って折り返し部分２８ｂ，２８ｂが形成され、この折り返し部分２８ｂ，２８ｂに後述のゴム紐２２を挿通させるための筒状の挿通路３４ｂ，３４ｂが形成されている。これにより、靴の左右側を係止することができ、靴全体を係止することができる。
【００４１】
次に、連結部１３について説明する。
本実施形態では、上記縦方向ベルト２５を足の後部側で踵部分から足首部分まで上方に伸延させ、装着ベルト１７の中央に縫製させて連結させている。これにより、連結部１３は人体装着部１１と靴装着部１２とが一体で連結した構成としている。
【００４２】
なお、本実施形態では、連結部１３は、靴装着部１２を構成する縦方向ベルト２５の一部を使用したものとしているが、別体のベルト部材を使用して人体装着部１１と靴装着部１２とを連結する構造としてもよい。
【００４３】
［電気的構造について］
次に、静電気を除去するための電気的構造について説明する。
図５は、接触用電極１４若しくは接地用電極１６とメッシュ状の第１連結配線１５ａとを電気的に接続した構造を示した説明図である。
【００４４】
まず、人体装着部１１の装着ベルト１７には接触用電極１４を配設しており、接触用電極１４は人体に接触させて静電気の電荷を引き寄せるものである。
【００４５】
接触用電極１４は、軸部とこれよりも径の大きい円盤状の頭部とからなるリベット形状を有している。図５に示すように、軸部は装着ベルト１７内に配設されるメッシュ状の第１連結配線１５ａと電気的に接続するもので、頭部の表面は人体への接触面となる。
【００４６】
接触用電極１４は銅製電極であり、銅は抵抗が他の金属に比べて低い。例えば、比抵抗値（単位体積あたりの抵抗値）について、銅（２０℃）は１．６８（１０−８Ωｍ）である。これに対して、金（２０℃）は２．２（１０−８Ωｍ）、黄銅（室温）は５〜７（１０−８Ωｍ）であり、銅に比べて高い。また、静電気防止用靴等で導電材料と使用されているシリコーンゴムは、２〜５０（１０Ωｍ）であり、銅に比べてかなり高い。
【００４７】
接触用電極１４は、図３に示すように、装着ベルト１７の足装着面に所定間隔を有して複数配設されている。その複数配設された接触用電極１４に対して、これらを電気的に接続するために第１連結配線１５ａを設けている。図５に示すように、第１連結配線１５ａは細い銅線をメッシュ状に配線して構成したものである。
【００４８】
次に、縦方向ベルト２５には、靴に装着した状態での地面側に接地用電極１６が複数配設されている。すなわち、図４に示すように、上記接触用電極１４と同じ構造を持つ接地用電極１６を装着ベルト１７の靴裏面の地面との接地面に所定間隔を有して複数配設している。複数の接地用電極１６は、縦方向ベルト２５内で縦方向に配設したメュシュ状の第２第２連結配線１５ｂにより電気的に接続されている。このメュシュ状の第２連結配線１５ｂも２枚のベルト材２５ａ内（図６に示す）で保護されている。
【００４９】
図６は、図４に示すＸ−Ｘ´線の断面構造を示した説明図である。
また、第１横方向ベルト２６上には接地用電極１６が複数配設されており、第１横方向ベルト２６内にもメッシュ状の第３連結配線１５ｃが配設されている。また、図６に示すように、交差部３１において、接地用電極１６ａを通して、縦方向ベルト２５内の第２連結配線１５ｂと第１横方向ベルト２６内の第３連結配線１５ｃとを電気的に接続することで、第１横方向ベルト２６上の接地用電極１６は上記した電極等と電気的に接続されている。
第２横方向ベルト２７上の接地用電極１６も同様の構造を有する。
【００５０】
さらに、連結部１３を構成する縦方向ベルト２５には上記のようにメッシュ状の第２連結配線１５ｂを設けている。そして、この第２連結配線１５ｂを介して上記接触用電極１４と上記接地用電極１６とを電気的に接続している。
【００５１】
［靴の装着方法について］
このようにして、本実施形態における静電気除去ベルト１０は、以下のようにして静電気を除去することができる。
【００５２】
まず、靴の装着に際しては、ストッパ２３の位置を調整しながらゴム紐２２を靴の上部に装着する。そして、ゴム紐２２を手で大きく広げながら靴を装嵌し、その後手を離すと靴側に付勢することでゴム紐２２が靴に装着される。このとき、接地用電極１６は、靴の裏面側に位置させて地面と接地するように装着させる。
【００５３】
次に、人体装着部の装着ベルト１７を足首部分に巻き、マジックテープ１８，１９（登録商標）の雄雌を係合させることで装着させる。このとき、装着ベルト１７内面に配設した接触用電極１４が足首の肌に直接触れるようにする。
【００５４】
そして、本実施形態における静電気除去ベルト１０は、靴に装着した状態で通常の作業をすることにより、人体に蓄積した静電気を除去することができる。
【００５５】
すなわち、静電気の電荷は、装着ベルト１７の内面に設けた接触用電極１４から引き寄せることができ、接触用電極１４に引き寄せた静電気の電荷は、連結部１３内の第２連結配線１５ｂを通して接地用電極１６まで流すことができる。この後、接地用電極１６から静電気の電荷を地面に放電することができる。
【００５６】
このように、本実施形態における静電気除去ベルト１０は、普段履いている靴に装着することで簡単に静電気を除去することができる。また、通常の作業をするだけで常に静電気を除去できる構造を有している。
【００５７】
相対湿度が３５％を下回ると、通常状態では発生しにくい木綿や木等の天然素材も静電気を発生する現象が生じる。このため、湿度が６５％を越えることで静電気が発生しにくくなり、発生しても自然消滅する環境になる。しかし、このような環境を作り出すことが困難であるため、本実施形態における静電気除去ベルト１０を装着することで静電気を除去することができる。
【００５８】
以上のように、本実施形態における静電気除去ベルト１０は、装着するだけで簡単に人体に蓄積した静電気の電荷を除去することができるものである。
【００５９】
［除去用電極について］
また、本実施形態における静電気除去ベルト１０は、上記接触用電極１４の他に連結部１３に除去用電極３２を設けている。すなわち、図２に示すように、除去用電極３２は、連結部１３を構成する縦方向ベルト２５上の足首後部の位置であって、足首への接触面とは反対側に配設されている。除去用電極３２は、円柱状の銅電極であり、連結部１３内の第２連結配線１５ｂと電気的に接続されている。
【００６０】
例えば、ドアのノブ部分に接触させる前に、手を上記電極３２に触れることで、手に蓄積した静電気を除去することができ、その後に違和感なくドアのノブに接触することができる。これにより、製造現場等にドアを開いて入場する際に静電気を除去した状態で入室が可能となる。
【００６１】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【００６２】
１０  静電気除去ベルト
１１  人体装着部
１２  靴装着部
１３  連結部
１４  接触用電極
１５ａ〜１５ｃ  連結配線
１６  接地用電極
１７  装着ベルト
１７ａ  ベルト材
１８  雄側マジックテープ（登録商標）
１９  雌側マジックテープ（登録商標）
２０  靴上部側装着部
２１  靴下部側装着部
２２  ゴム紐
２３  ストッパ
２４  丸孔
２５  縦方向ベルト
２５ａ  ベルト材
２６  第１横方向ベルト
２６ａ  ベルト材
２７  第２横方向ベルト
２７ａ  ベルト材
２８ａ，２８ｂ  折り返し部分
２９  挿通部
３０  飛出部分
３１  交差部
３３  長孔
３４ａ  ３４ｂ  挿通路
【図１】
2014143019.tif 000003
【図２】
2014143019.tif 000004
【図３】
2014143019.tif 000005
【図４】
2014143019.tif 000006
【図５】
2014143019.tif 000007
【図６】
2014143019.tif 000008